(57)【要約】【課題】放送波の総数が少ない地域においても短時間でデジタル放送波の検出を完了できるようにする。【解決手段】放送チャネル検出装置は放送波をアナログ方式で復調するアナログ用復調回路１２，１４と、放送波をデジタル方式で復調するデジタル用復調回路１１，１３とを備える。この放送チャネル検出装置はさらにアナログ用復調回路１２，１４の受信周波数を変化させ、アナログ用復調回路１２，１４から得られる復調結果がデジタル放送波に特有な復調波形による周波数特性である場合に放送波をデジタル用復調回路１１，１３による復調候補に設定し、デジタル用復調回路１１，１３が放送波を復調可能である場合に復調波形の周波数分布に対応する周波数帯域をデジタル放送チャネルに設定する制御回路１０を備える。【選択図】図１
2009290766.tif 000002
【特許請求の範囲】
【請求項１】
放送波をアナログ方式で復調するアナログ用復調回路と、
前記放送波をデジタル方式で復調するデジタル用復調回路と、
前記アナログ用復調回路の受信周波数を変化させ、前記アナログ用復調回路から得られる復調結果がデジタル放送波に特有な復調波形による周波数特性である場合に前記放送波を前記デジタル用復調回路による復調候補に設定し、前記デジタル用復調回路が前記放送波を復調可能である場合に前記復調波形の周波数分布に対応する周波数帯域をデジタル放送チャネルに設定する制御回路とを備えることを特徴とする放送チャネル検出装置。
【請求項２】
前記制御回路は前記アナログ用復調回路から得られる検出波形の結果がアナログ放送波に特有な復調波形による周波数特性である場合に前記復調波形の周波数分布に対応する周波数帯域をアナログ放送チャネルに設定する構成であることを特徴とする請求項１に記載の放送チャネル検出装置。
【請求項３】
前記制御回路は前記周波数帯域の中心周波数および帯域幅を含む受信パラメータを前記デジタル放送チャネルまたはアナログ放送チャネルとして保持する周波数テーブルを有することを特徴とする請求項２に記載の放送チャネル検出装置。
【請求項４】
前記アナログ用復調回路はフェーズロックドループ（ＰＬＬ）方式のアナログ用チューナを含み、前記制御回路は前記アナログ用チューナのＰＬＬ周波数から前記周波数帯域の中心周波数および帯域幅を求める構成であることを特徴とする請求項３に記載の放送チャネル検出装置。
【請求項５】
放送波をアナログ方式で復調するアナログ用復調回路および前記放送波をデジタル方式で復調するデジタル用復調回路を用いる放送チャネル検出方法であって、前記アナログ用復調回路の受信周波数を変化させ、前記アナログ用復調回路から得られる復調結果がデジタル放送波に特有な復調波形による周波数特性である場合に前記放送波を前記デジタル用復調回路による復調候補に設定し、前記デジタル用復調回路が前記放送波を復調可能である場合に前記復調波形の周波数分布に対応する周波数帯域をデジタル放送チャネルに設定することを特徴とする放送チャネル検出方法。
【請求項６】
選局操作を行う操作部と、
放送波をアナログ方式で復調するアナログ用復調回路と、
前記放送波をデジタル方式で復調するデジタル用復調回路と、
前記アナログ用復調回路の受信周波数を変化させ、前記アナログ用復調回路から得られる復調結果がデジタル放送波に特有な復調波形による周波数特性である場合に前記放送波を前記デジタル用復調回路による復調候補に設定し、前記デジタル用復調回路が前記放送波を復調可能である場合に前記復調波形の周波数分布に対応する周波数帯域をデジタル放送チャネルとして周波数テーブルに登録し、前記アナログ用復調回路から得られる復調結果がアナログ放送波に特有な復調波形による周波数特性である場合に前記復調波形の周波数分布に対応する周波数帯域をアナログ放送チャネルとして前記周波数テーブルに登録し、前記周波数テーブルに登録された前記アナログおよびデジタル放送チャネルのいずれか１つを前記操作部からの選局操作に対応して選択するように前記アナログ用復調回路および前記デジタル用復調回路を制御する制御回路とを備えることを特徴とする選局装置。
【発明の詳細な説明】
【技術分野】
【０００１】
本発明は、地域毎に異なる周波数チャネルで放送されるアナログ放送波およびデジタル放送波を検出する放送チャネル検出装置、放送チャネル検出方法、および選局装置に関する。
【背景技術】
【０００２】
近年では、テレビ放送技術が著しく進歩した。これに伴ない、各国のテレビジョン放送はアナログ放送波からより鮮明な映像を得ることのできるデジタル放送波に移行する方向にある。
【０００３】
既存のテレビ受信装置はデジタル放送波に対応していないため、デジタル放送波への移行が決定しても直ちにアナログ放送波を停波することはできない。このため、例えば１０年程度の移行猶予期間が設けられ、アナログ放送波およびデジタル放送波の両方がこの移行猶予期間において放送されている。このような地域では、新製品として販売されるテレビ受信装置の多くは、アナログ放送波およびデジタル放送波が混在した環境で利用できるように構成されている（例えば、特許文献１を参照）。また、地上放送がアナログ放送波で、衛星放送がデジタル放送波である場合もある。
【特許文献１】特開２００３−６９９０７号公報
【発明の開示】
【発明が解決しようとする課題】
【０００４】
ところで、テレビ受信装置を新規に購入した場合、該当地域で受信可能なアナログ放送波およびデジタル放送波の周波数チャネルをサーチし、サーチ結果の周波数チャネルの１つをリモコンのキー操作で容易に選択できるようにプリセットすることが一般的である。
【０００５】
しかしながら、上述のサーチは従来において短時間で完了させることが困難であった。デジタル放送波の周波数チャネルは、チャネルスキャン範囲において実際に様々な受信パラメータを設定してデジタル信号処理を行った結果として検出する必要がある。ところが、デジタル放送波がチャネルスキャン範囲に存在しない場合には、受信パラメータの変更を繰り返すことになるため、これがサーチ時間を増大させる原因となっている。例えば特許文献１の受信装置はこのサーチ時間を短縮するために、アナログ放送波により占有される周波数帯域を検出し、この周波数帯域をデジタル放送波に対するチャネルスキャン範囲から除外する技術を開示する。しかしながら、この技術は、アナログ放送波やデジタル放送波の総数が少ない地域において有効に機能していなかった。
【０００６】
本発明の目的は、放送波の総数が少ない地域においても短時間でデジタル放送波の検出を完了できる放送チャネル検出装置、放送チャネル検出方法、および選局装置を提供することにある。
【課題を解決するための手段】
【０００７】
本発明の第1観点によれば、放送波をアナログ方式で復調するアナログ用復調回路と、
放送波をデジタル方式で復調するデジタル用復調回路と、アナログ用復調回路の受信周波数を変化させ、アナログ用復調回路から得られる復調結果がデジタル放送波に特有な復調波形による周波数特性である場合に放送波をデジタル用復調回路による復調候補に設定し、デジタル用復調回路が放送波を復調可能である場合に復調波形の周波数分布に対応する周波数帯域をデジタル放送チャネルに設定する制御回路とを備える放送チャネル検出装置が提供される。
【０００８】
本発明の第２観点によれば、放送波をアナログ方式で復調するアナログ用復調回路および放送波をデジタル方式で復調するデジタル用復調回路を用いる放送チャネル検出方法であって、アナログ用復調回路の受信周波数を変化させ、アナログ用復調回路から得られる復調結果がデジタル放送波に特有な復調波形による周波数特性である場合に放送波をデジタル用復調回路による復調候補に設定し、デジタル用復調回路が放送波を復調可能である場合に復調波形の周波数分布に対応する周波数帯域をデジタル放送チャネルに設定する放送チャネル検出方法が提供される。
【０００９】
本発明の第３観点によれば、選局操作を行う操作部と、放送波をアナログ方式で復調するアナログ用復調回路と、放送波をデジタル方式で復調するデジタル用復調回路と、アナログ用復調回路の受信周波数を変化させ、アナログ用復調回路から得られる復調結果がデジタル放送波に特有な復調波形による周波数特性である場合に放送波をデジタル用復調回路による復調候補に設定し、デジタル用復調回路が放送波を復調可能である場合に復調波形の周波数分布に対応する周波数帯域をデジタル放送チャネルとして周波数テーブルに登録し、アナログ用復調回路から得られる復調結果がアナログ放送波に特有な復調波形による周波数特性である場合に復調波形の周波数分布に対応する周波数帯域をアナログ放送チャネルとして周波数テーブルに登録し、周波数テーブルに登録されたアナログおよびデジタル放送チャネルのいずれか１つを操作部からの選局操作に対応して選択するようにアナログ用復調回路およびデジタル用復調回路を制御する制御回路とを備える選局装置が提供される。
【発明の効果】
【００１０】
これら放送チャネル検出装置、放送チャネル検出方法、および選局装置では、デジタル放送波がアナログ用復調回路の受信周波数を変化させることによりサーチされ、アナログ用復調回路から得られる復調結果がデジタル放送波に特有な復調波形の周波数分布である場合にデジタル用復調回路による復調候補に設定される。これにより、デジタル用復調回路がデジタル放送波により占有される可能性の高い周波数帯域でのみ復調を行い、この可能性が低い周波数帯域で復調を行う必要を無くすことができる。これは、アナログ放送波により占有される周波数帯域を検出し、この周波数帯域をデジタル放送波に対するチャネルスキャン範囲から除外する場合よりも確実にデジタル放送波を検出するサーチ時間を短縮できる。特に、放送波の総数が少ない地域において有効である。
【発明を実施するための最良の形態】
【００１１】
以下、本発明の一実施形態に係るテレビ受信装置について添付図面を参照して説明する。図１は、このテレビ受信装置の構成を概略的に示す。このテレビ受信装置は地上アナログ放送波および地上デジタル放送波を受信可能であり、制御部１０、デジタル用チューナ１１、アナログ用チューナ１２、デジタル用復調器１３、アナログ用復調器１４、ＴＳ復号器１５、および信号処理部１６を備える。
【００１２】
地上デジタル放送波および地上アナログ放送波はアンテナから受信信号としてデジタル用チューナ１１およびアナログ用チューナ１２に供給される。デジタル用チューナ１１およびアナログ用チューナ１２はフェーズロックドループ（ＰＬＬ）方式であり、制御部１０の制御により中心周波数および帯域幅等の受信パラメータを指定してそれぞれ所望の放送波を選局するために用いられる。
【００１３】
デジタル用チューナ１１で選局された受信信号は、例えば日本ではＯＦＤＭ（orthogonal frequency division multiplexing）方式のデジタル用復調器１３およびＴＳ復号器１５に順次供給されることにより、デジタル映像信号および音声信号に復調された後、信号処理部１６に出力される。アナログ用チューナ１２で選局された受信信号はアナログ用復調器１４に供給されてアナログ映像信号および音声信号に復調された後、信号処理部１６に出力される。
【００１４】
このテレビ受信装置はさらにグラフィック処理部１７、ＯＳＤ（on screen display）信号生成部１８、映像処理部１９、ディスプレイ２０、音声処理部２１、スピーカ２２、操作パネル２３、赤外線受光部２４、およびリモコン２５を備える。
【００１５】
信号処理部１６は、ＴＳ復号器１５から供給されたデジタル映像信号および音声信号に対して、選択的に所定のデジタル信号処理を施し、グラフィック処理部１７および音声処理部２１に出力する。また、信号処理部１６は、アナログ用復調器１４から供給されたアナログ映像信号および音声信号を選択的にデジタル化し、このデジタル化された映像信号および音声信号に対して所定のデジタル信号処理を施した後、グラフィック処理部１７および音声処理部２１に出力する。
【００１６】
グラフィック処理部１７は、信号処理部１６から供給されるデジタル映像信号に、ＯＳＤ信号生成部１８で生成されるＯＳＤ信号を重畳して出力する機能を有する。このグラフィック処理部１７は、信号処理部１６の出力映像信号と、ＯＳＤ信号生成部１８の出力ＯＳＤ信号とを選択的に出力すること、また、両出力をそれぞれ画面の半分を構成するように組み合わせて出力することができる。
【００１７】
グラフィック処理部１７から出力されたデジタル映像信号は、映像処理部１９に供給される。この映像処理部１９は、入力されたデジタル映像信号を、ディスプレイ２０で表示可能なフォーマットのアナログ映像信号に変換した後、ディスプレイ２０に出力して映像表示させる。音声処理部２１は、入力されたデジタル音声信号を、スピーカ２２で再生可能なフォーマットのアナログ音声信号に変換した後、スピーカ２２に出力して音声再生させる。
【００１８】
制御部１０は、操作パネル２３からの操作情報、または、リモコン２５から送出され赤外線受光部２４で受信された操作情報を受けて、その操作内容が反映されるように各部を制御する。この図２に示すように、制御部１０は様々な処理および制御を行うＣＰＵ（central processing unit）３１、このＣＰＵ３１の制御プログラムを格納するＲＯＭ（read only memory）３２、ＣＰＵ３１に作業エリアを提供するＲＡＭ（random access memory）３２、様々な設定情報、制御情報、および周波数テーブルを保持する不揮発性メモリ３４、およびこれら設定情報および制御情報を入出力するためのインタフェース３５を含む。
【００１９】
このテレビ受信装置は、アナログ放送波およびデジタル放送波の放送チャネルを予め検出して、不揮発性メモリ３４に設けられる周波数テーブルに保持させることが可能である。ここで、操作パネル２３およびリモコン２５は選局操作を行う操作部を構成する。アナログ用チューナ１２およびアナログ用復調器１４は放送波をアナログ方式で復調するアナログ用復調回路を構成し、デジタル用チューナ１１およびデジタル用復調器１３は放送波をデジタル方式で復調するデジタル用復調回路を構成する。
【００２０】
また、制御部１０はアナログ用復調回路の受信周波数を変化させ、このアナログ用復調回路から得られる復調結果がデジタル放送波に特有な復調波形による周波数特性である場合に放送波をデジタル用復調回路による復調候補に設定し、デジタル用復調回路が放送波を復調可能である場合に復調波形の周波数分布に対応する周波数帯域をデジタル放送チャネルとして周波数テーブルに登録する。更に、制御部１０は、アナログ用復調回路から得られる復調結果がアナログ放送波に特有な復調波形による周波数特性である場合に復調波形の周波数分布に対応する周波数帯域をアナログ放送チャネルとして周波数テーブルに登録し、周波数テーブルに登録されたアナログおよびデジタル放送チャネルのいずれか１つを操作部からの選局操作に対応して選択するようにアナログ用復調回路およびデジタル用復調回路を制御する制御回路を構成する。
【００２１】
図３は制御部１０によって行われる放送チャネル検出処理を示すフローチャートである。放送チャネル検出処理は、操作パネル２３またはリモコン２５で行われるオートスキャン操作や単独スキャン操作に伴って開始する。
【００２２】
ステップＳ１では、アナログ用チューナ１２がデジタル放送波およびアナログ放送波の周波数チャネルを検出するチャネルスキャンを行なうために制御される。ここでは、チャネルスキャン範囲、チャネルスキャン開始周波数、周波数遷移量（例えば１ステップの増分＝６２．５ＫＨｚ）等が受信パラメータとしてアナログ用チューナ１２に設定される。
【００２３】
続いて、アナログ用復調器１４がステップＳ２でアナログ用チューナ１２からの中間周波数信号を映像信号に変換するために制御される。アナログ用復調器１４はＡＦＴ(自動周波数チューニング）出力端を有し、受信周波数の遷移に伴って受信信号強度に対応する電圧レベルのＡＦＴ波形を復調結果として出力する。このＡＦＴ波形はステップＳ３で観測される。このＡＦＴ波形に変化が生じると、ステップＳ４でアナログ放送波の映像同期信号があるかＡＦＴ波形においてチェックされる。
【００２４】
この映像同期信号が検出されると、ステップＳ５で、アナログ信号処理がアナログ用チューナ１２のＰＬＬ周波数からアナログ放送波の中心周波数および帯域幅等のアナログ受信パラメータを求めるために行われる。ステップＳ６では、このアナログ信号処理結果の受信パラメータがアナログ放送チャネルとして周波数テーブルに設定される。続くステップＳ７では、チャネルスキャンを継続するかどうかチェックされる。放送チャネル検出処理が単独スキャン操作により開始された場合には、この処理がここで終了する。放送チャネル検出処理がオートスキャン操作により開始された場合には、残りのチャネルスキャン範囲について放送波を検出するために再びステップＳ１が実行される。
【００２５】
また、ステップＳ４で映像同期信号が検出されなかった場合には、信号周波数帯域がステップＳ８でＡＦＴ波形から検出され、検出結果の周波数帯域幅が６ＭＨｚを越えているかステップＳ９でチェックされる。ＡＦＴ波形において、周波数帯域幅がデジタル放送波に特有なものであること示す６ＭＨｚを越えていなければ、デジタル放送波でないと判断され、ステップＳ７が実行される。
【００２６】
これに対して、周波数帯域幅が６ＭＨｚを越えていれば、検出結果の周波数帯域をデジタル放送チャネルの候補、すなわちデジタル用復調回路による復調候補として不揮発性メモリ３４に保存する。
【００２７】
これに続くステップＳ１１では、デジタル用チューナ１１が保存結果の周波数帯域から得られる中心周波数の放送波を受信するように制御され、デジタル用復調器１３がステップＳ１２でデジタル用チューナ１１の出力を復調するために制御される。
【００２８】
デジタル放送波の復調に必要な受信パラメータがステップＳ１３でデジタル用チューナ１１に設定され、この結果としてデジタル用チューナ１１のＰＬＬ周波数がロックされたかステップＳ１４でチェックされる。受信パラメータが適切に設定されれば、ＰＬＬ周波数のロックが検出される。この場合、デジタル用チューナ１１およびデジタル用復調器１３からなるデジタル用復調回路がデジタル放送波を復調可能であると判断され、ステップＳ１５でＡＦＴ波形の周波数分布に対応する周波数帯域の中心周波数および帯域幅等の受信パラメータがデジタル放送チャネルとして周波数テーブルに設定される。この後、ステップＳ８が実行される。また、ステップＳ１４で周波数ロックが検出されない場合にも、ステップＳ７が実行される。
【００２９】
図４はアナログ用チューナに入力されるアナログ放送波およびデジタル放送波の周波数スペクトル分布を示す。アナログ放送は映像同期信号、映像信号、色信号、および音声信号を含み、図４に示すように周波数軸上で互いに離間した信号スペクトルの復調波形となる周波数特性を有する。これに対して、デジタル放送波は図４に示すように周波数軸上で互いに隣接した信号スペクトルの復調波形となる周波数特性を有する。
【００３０】
図５はアナログ用復調器からアナログ放送波およびデジタル放送波の復調結果として出力されるＡＦＴ波形を示す。図５から明らかなように、アナログ放送波およびデジタル放送波はそれぞれ特有のＡＦＴ波形を有する。従って、アナログ用復調回路でデジタル方式でのチャネルスキャン範囲を特定すれば、実際にデジタル用復調回路が復調を行う範囲を狭くできる。
【００３１】
本実施形態によれば、デジタル放送波がアナログ用復調回路の受信周波数を変化させることによりサーチされ、アナログ用復調回路から得られる復調結果がデジタル放送波に特有な復調波形による周波数特性である場合にデジタル用復調回路による復調候補に設定される。これにより、デジタル用復調回路がデジタル放送波により占有される可能性の高い周波数帯域でのみ復調を行い、この可能性が低い周波数帯域で復調を行う必要を無くすことができる。これは、アナログ放送波により占有される周波数帯域を検出し、この周波数帯域をデジタル放送波に対するチャネルスキャン範囲から除外する場合よりも確実にデジタル放送波を検出するサーチ時間を短縮できる。特に、放送波の総数が少ない地域において有効である。
【００３２】
また、中心周波数を求める信号処理を行っているため、放送波周波数がオフセットされている場合でも信号スキャンが可能である。
【００３３】
尚、本発明は上述の実施形態に限定されず、様々に変形可能である。
【００３４】
上述の実施形態では、デジタル用チューナ１１およびデジタル用復調器１３が地上デジタル放送波に対して設けられているが、さらに例えば衛星デジタル放送波に対して設けられてもよい。
【図面の簡単な説明】
【００３５】
【図１】本発明の一実施形態に係るテレビ受信装置の構成を概略的に示す図である。
【図２】図１に示す制御部の構成を概略的に示す図である。
【図３】図１に示す制御部によって行われる放送チャネル検出処理を示す図である。
【図４】図１に示すアナログ用チューナに入力されるアナログ放送波およびデジタル放送波の周波数スペクトル分布を示す図である。
【図５】図１に示すアナログ用復調器からアナログ放送波およびデジタル放送波の復調結果として出力されるＡＦＴ波形を示す図である。
【符号の説明】
【００３６】
１０…制御部、１１…デジタル用チューナ、１２…アナログ用チューナ、１３…デジタル用復調器、１４…アナログ用復調器、２３…操作パネル、３４…不揮発性メモリ。
【図１】
2009290766.tif 000003
【図２】
2009290766.tif 000004
【図３】
2009290766.tif 000005
【図４】
2009290766.tif 000006
【図５】
2009290766.tif 000007